(57)【要約】      （修正有）【課題】清掃対象の表面を傷つけることを抑制しながら、清掃対象の表面をクリーニングすることができる清掃器具を提供する。【解決手段】清掃対象の表面Ｓをクリーニングするための清掃器具１において、所定方向に延びる平板形状を有し、清掃対象の表面Ｓに接触して清掃対象の表面Ｓをクリーニングするクリーニング部２と、クリーニング部２を支持する支持部３と、クリーニング部２が延びる方向と交差する方向に延び支持部３に接続するグリップ部４とを備え、クリーニング部２を透明の樹脂からなるブレードにする。【選択図】図１
2019115471.tif 000002
【特許請求の範囲】
【請求項１】
清掃対象の表面をクリーニングするためのクリーニング部と、
清掃作業者が握ることができるグリップ部と
を備え、
前記クリーニング部は、透明のブレードであることを特徴とする、清掃器具。
【請求項２】
さらに、前記クリーニング部を支持する支持部を備え、
前記支持部は、透明であることを特徴とする、請求項１に記載の清掃器具。
【請求項３】
前記グリップ部は、透明であることを特徴とする、請求項２に記載の清掃器具。
【請求項４】
前記クリーニング部と前記グリップ部とを、一体的に有し、
前記グリップ部は、透明であることを特徴とする、請求項１に記載の清掃器具。
【請求項５】
前記クリーニング部のショア硬度は、Ａ１５以上、Ｄ７４以下であることを特徴とする、請求項１〜４のいずれか一項に記載の清掃器具。
【請求項６】
前記クリーニング部は、可塑剤を含有しない樹脂からなることを特徴とする、請求項１〜５のいずれか一項に記載の清掃器具。
【請求項７】
前記クリーニング部は、ウレタン樹脂からなることを特徴とする、請求項１〜６のいずれか一項に記載の清掃器具。
【発明の詳細な説明】
【技術分野】
【０００１】
本発明は、清掃器具に関する。
【背景技術】
【０００２】
従来より、窓ガラスなどの硬質表面に付着した汚れを清掃するものとして、ワイパーブレードを備える清掃器具が知られている。
【０００３】
例えば、水滴の掻き取りが可能なワイパーブレードと、ワイパーブレードで掻き取られた水滴を吸収可能な吸液部とを備える清掃用具が提案されている（例えば、下記特許文献１参照。）。
【先行技術文献】
【特許文献】
【０００４】
【特許文献１】特開２００４−２０９１０７号公報
【発明の概要】
【発明が解決しようとする課題】
【０００５】
しかし、上記特許文献１に記載されるような清掃用具では、硬質表面を清掃するとき、ワイパーブレードによって、硬質表面が隠れてしまう。
【０００６】
そのため、硬質表面のうち、ワイパーブレードによって隠れている部分に、砂などの硬質の粒子が付着している場合、そのことに気付かずに、清掃作業者が清掃用具を動かす可能性がある。
【０００７】
この場合、硬質の粒子により、硬質表面が傷つくおそれがある。
【０００８】
そこで、本発明の目的は、清掃対象の表面を傷つけることを抑制しながら、清掃対象の表面をクリーニングすることができる清掃器具を提供することにある。
【課題を解決するための手段】
【０００９】
本発明［１］は、清掃対象の表面をクリーニングするためのクリーニング部と、清掃作業者が握ることができるグリップ部とを備え、前記クリーニング部が透明のブレードである、清掃器具を含む。
【００１０】
このような構成によれば、清掃対象の表面をクリーニングするためのクリーニング部が、透明のブレードである。
【００１１】
そのため、清掃作業者は、クリーニング部を介して、清掃対象の表面を見ることができる。これにより、清掃作業者は、清掃対象の表面のうち、クリーニング部によって隠れている部分に硬質の粒子が付着している場合であっても、クリーニング部を介して、そのことに気付くことができる。
【００１２】
その結果、硬質の粒子を除去してから、もしくは、清掃対象の表面が傷つかないように注意しつつ、清掃器具を動かすことができ、清掃対象の表面を傷つけることを抑制しながら、清掃対象の表面をクリーニングすることができる。
【００１３】
本発明［２］は、さらに、前記クリーニング部を支持する支持部を備え、前記支持部が透明である、上記［１］の清掃器具を含む。
【００１４】
このような構成によれば、清掃作業者は、清掃対象の表面を、より容易に見ることができる。
【００１５】
本発明［３］は、前記グリップ部が透明である、上記［２］の清掃器具を含む。
【００１６】
このような構成によれば、清掃作業者は、清掃対象の表面を、より一層容易に見ることができる。
【００１７】
本発明［４］は、前記クリーニング部と前記グリップ部とを、一体的に有し、前記グリップ部が透明である、上記［１］の清掃器具を含む。
【００１８】
このような構成によれば、クリーニング部とグリップ部とを一体的に成形することができるので、清掃器具を効率よく製造できる。
【００１９】
本発明［５］は、前記クリーニング部のショア硬度がＡ１５以上、Ｄ７４以下である、上記［１］〜［４］のいずれか１つの清掃器具を含む。
【００２０】
このような構成によれば、クリーニング部が清掃対象の表面を傷つけることを抑制できる。また、クリーニング部を清掃対象の表面に容易に追従させることができ、清掃性能の向上を図ることができる。
【００２１】
本発明［６］は、前記クリーニング部が可塑剤を含有しない樹脂からなる、上記［１］〜［５］のいずれか１つの清掃器具を含む。
【００２２】
このような構成によれば、可塑剤のブリードによってクリーニング部の表面がべたつくなどの不具合を抑制できる。
【００２３】
本発明［７］は、前記クリーニング部がウレタン樹脂からなる、上記［１］〜［６］のいずれか１つの清掃器具を含む。
【００２４】
このような構成によれば、可塑剤を含有することなく、クリーニング部のショア硬度を所望の値に調整できる。
【発明の効果】
【００２５】
本発明の清掃器具によれば、清掃対象の表面を傷つけることを抑制しながら、清掃対象の表面をクリーニングすることができる。
【図面の簡単な説明】
【００２６】
【図１】図１は、本発明の一実施形態としての清掃器具を示す斜視図である。
【図２】図２Ａから図２Ｃは、図１に示す清掃器具の変形例を示す。
【図３】図３は、清掃器具の変形例であって、クリーニング部とグリップ部とを一体的に有する清掃器具を示す。
【図４】図４Ａから図４Ｃは、図３に示す清掃器具の変形例を示す。
【発明を実施するための形態】
【００２７】
１．清掃器具
図１に示すように、清掃器具１は、壁や窓ガラスなどの清掃対象の表面Ｓをクリーニングするための器具である。清掃器具１は、クリーニング部２と、支持部３と、グリップ部４とを備える。
【００２８】
（１）クリーニング部
クリーニング部２は、清掃作業者が清掃対象の表面Ｓをクリーニングするときに、清掃対象の表面Ｓに接触する。クリーニング部２は、清掃対象の表面Ｓをクリーニングする。クリーニング部２は、透明のブレードである。クリーニング部２が透明であることにより、清掃作業者は、クリーニング部２を介して清掃対象の表面Ｓを見ながら、作業することができる。クリーニング部２は、所定方向に延びる平板形状を有する。クリーニング部２は、清掃対象の表面Ｓに接触した状態で、清掃対象の表面Ｓに沿って延びる。クリーニング部２は、透明の樹脂からなる。
【００２９】
クリーニング部２を構成する樹脂としては、例えば、ウレタン樹脂、シリコーン樹脂、アクリル樹脂、ポリ塩化ビニル、ポリエチレン、ポリプロピレン、ポリエチレンテレフタレートなどが挙げられる。
【００３０】
クリーニング部２を構成する樹脂は、好ましくは、可塑剤を含有しない。そのため、可塑剤のブリードによってクリーニング部２の表面がべたつくなどの不具合を抑制できる。
【００３１】
クリーニング部２は、好ましくは、ウレタン樹脂からなる。ウレタン樹脂であれば、可塑剤を含有することなく、クリーニング部２のショア硬度を所望の値に調整できる。
【００３２】
ウレタン樹脂は、ポリイソシアネート成分（例えば、１，５−ペンタメチレンジイソシアネート、１，６−ヘキサメチレンジイソシアネート、１，３または１，４−ビス（イソシアナトメチル）シクロヘキサン、イソホロンジイソシアネート、ノルボルネンジイソシアネート、キシリレンジイソシアネート、トルエンジイソシアネートなど）と、活性水素基含有化合物（例えば、ポリエーテルポリオール、ポリエステルポリオールなどの高分子量ポリオール、低分子量ポリオールなどのポリオール、例えば、ポリアミンなど）とを含む原料の重合物である。
【００３３】
ウレタン樹脂を製造するには、例えば、ポリイソシアネート成分とポリオール成分とを、所定の配合割合およびイソシアネートインデックス（ポリオール成分の水酸基濃度に対する、ポリイソシアネート成分のイソシアネート基濃度（ＮＣＯ濃度）の比に１００を乗じた値、ＮＣＯ濃度／水酸基濃度×１００）で混合して、得られた混合物を、所定の型内で硬化させる。
【００３４】
クリーニング部２のショア硬度は、例えば、Ａ１５以上、好ましくは、Ａ６０以上であり、例えば、Ｄ７４以下、好ましくは、Ａ９５以下である。
【００３５】
クリーニング部２のショア硬度が上記下限値以上であり、かつ、上記上限値以下であれば、クリーニング部２が清掃対象の表面Ｓを傷つけることを、抑制できる。また、クリーニング部２のショア硬度が上記下限値以上であり、かつ、上記上限値以下であれば、クリーニング部２を清掃対象の表面Ｓに容易に追従させることができ、水切りなどの清掃性能の向上を図ることができる。
【００３６】
また、クリーニング部２の全光線透過率は、例えば、７０％以上、好ましくは、９５％以上であり、通常、１００％以下である。全光線透過率が７０％以上であることを「透明」と定義する。
【００３７】
クリーニング部２の全光線透過率が上記下限値以上であれば、清掃作業者が、清掃対象の表面Ｓを、クリーニング部２を介して容易に見ることができる。
【００３８】
（２）支持部
支持部３は、クリーニング部２を支持する。支持部３は、クリーニング部２に接続される。詳しくは、支持部３は、クリーニング部２が延びる方向と直交する方向において、クリーニング部２に接続される。なお、クリーニング部２は、支持部３から取り外し可能であってもよい。支持部３は、クリーニング部２が延びる方向に延びる。支持部３は、平板形状を有する。なお、支持部３は、クリーニング部２を支持することができれば、形状について限定されない。例えば、支持部３は、クリーニング部２の一部を挟むクリップであってもよい。また、支持部３は、透明であってもよい。支持部３が透明であると、清掃作業者は、清掃対象の表面Ｓを、より容易に見ることができる。支持部３は、好ましくは、透明で、かつ、硬質の樹脂からなる。
【００３９】
支持部３を構成する樹脂としては、例えば、ウレタン樹脂、シリコーン樹脂、アクリル樹脂、ポリ塩化ビニル、ポリエチレン、ポリプロピレン、ポリエチレンテレフタレート、ポリカーボネートなどが挙げられる。
【００４０】
（３）グリップ部
グリップ部４は、清掃作業者が握ることができる部分である。グリップ部４は、支持部３に接続される。なお、グリップ部４は、支持部３と一体的に製造されてもよい。また、グリップ部４は、支持部３と別体として製造され、支持部３に対して可動であってもよい。グリップ部４は、クリーニング部２が延びる方向と交差する方向に延びる。そして、グリップ部４は、支持部３が延びる方向の中央において、支持部３に接続する。グリップ部４は、平板形状を有する。なお、グリップ部４は、清掃作業者が握ることができれば、形状について限定されない。例えば、グリップ部４は、棒であってもよい。また、グリップ部４は、透明であってもよい。グリップ部４が透明であると、清掃作業者は、清掃対象の表面Ｓを、より一層容易に見ることができる。また、クリーニング部２、支持部３およびグリップ部４を含む清掃器具１の全部が透明であると、意匠性に優れる。
【００４１】
なお、グリップ部４を構成する樹脂としては、上記した支持部３を構成する樹脂と同様の樹脂を挙げることができる。
【００４２】
２．清掃器具の使用方法
次いで、清掃器具１の使用方法について説明する。
【００４３】
清掃作業者は、清掃対象の表面Ｓを、液体の洗浄剤や水などで濡らした後、図１に示すように、清掃器具１を用いて、表面Ｓの汚れを除去する。詳しくは、清掃作業者は、グリップ部４を握り、クリーニング部２を表面Ｓに押しつけながら、クリーニング部２が延びる方向と交差する方向に清掃器具１を動かして、液体の洗浄剤や水などによって湿潤した汚れを、液体の洗浄剤や水などとともに除去する。
【００４４】
このとき、表面Ｓと清掃器具１のクリーニング部２との間に砂などの硬質の粒子が挟まった状態で清掃器具１を動かすと、表面Ｓが傷つく可能性がある。
【００４５】
そこで、清掃作業者は、クリーニング部２を介して表面Ｓを見たときに、砂などの硬質の粒子が見えた場合には、そのような硬質の粒子を取り除いた上で、もしくは、そのような硬質の粒子が表面Ｓを傷つけないように注意しながら、汚れを除去する。
【００４６】
これにより、表面Ｓが傷つくことを防止できる。
【００４７】
なお、清掃器具１の用途は、表面Ｓの汚れを除去する用途に限られない。例えば、表面Ｓが汚れていなくても、表面Ｓに付着した液体を掻きとるために、清掃器具１を用いることができる。
【００４８】
また、清掃作業者は、上記したように表面Ｓを清掃するとき、表面Ｓが清掃されていく様子を、クリーニング部２を介して見ながら、作業できる。そのため、清掃作業者は、清掃器具１で掻き取るごとに達成感を感じ、楽しんで作業することができる。
【００４９】
また、清掃器具１が透明であると、意匠性に優れるので、作業をより楽しむことができる。
【００５０】
３．作用効果
この清掃器具１によれば、清掃対象の表面Ｓをクリーニングするためのクリーニング部２が、透明のブレードである。
【００５１】
そのため、清掃作業者は、クリーニング部２を介して、清掃対象の表面Ｓを見ることができる。これにより、清掃作業者は、清掃対象の表面Ｓのうち、クリーニング部２によって隠れている部分に硬質の粒子が付着している場合であっても、クリーニング部２を介して、そのことに気付くことができる。
【００５２】
その結果、硬質の粒子を除去してから、もしくは、清掃対象の表面Ｓが傷つかないように注意しつつ、清掃器具１を動かすことができ、清掃対象の表面Ｓを傷つけることを抑制しながら、清掃対象の表面Ｓをクリーニングすることができる。
【００５３】
また、この清掃器具１によれば、クリーニング部２を支持する支持部３も、透明である。
【００５４】
そのため、清掃作業者は、清掃対象の表面Ｓを、より容易に見ることができる。
【００５５】
また、この清掃器具１によれば、グリップ部も透明である。
【００５６】
そのため、清掃作業者は、清掃対象の表面Ｓを、より一層容易に見ることができる。
【００５７】
また、この清掃器具１によれば、クリーニング部２のショア硬度がＡ１５以上、Ｄ７４以下である。
【００５８】
そのため、クリーニング部２が清掃対象の表面Ｓを傷つけることを抑制できる。また、クリーニング部２を清掃対象の表面Ｓに容易に追従させることができ、水切り性能の向上を図ることができる。
【００５９】
また、この清掃器具１によれば、クリーニング部２が可塑剤を含有しない樹脂からなる。
【００６０】
そのため、可塑剤のブリードによってクリーニング部２の表面がべたつくなどの不具合を抑制できる。
【００６１】
また、この清掃器具１によれば、クリーニング部２がウレタン樹脂からなる。
【００６２】
そのため、可塑剤を含有することなく、クリーニング部２のショア硬度を所望の値に調整できる。
【００６３】
４．変形例
クリーニング部２、支持部３およびグリップ部４のそれぞれの形状は、限定されない。図２Ａに示すように、クリーニング部２は、例えば、楔形状をであってもよい。また、支持部３は、例えば、角柱形状であってもよい、また、グリップ部４は、円柱形状であってもよい。
【００６４】
また、クリーニング部２に対する支持部３の取り付け方、支持部３に対するグリップ部４の取り付け方についても、限定されない。例えば、図２Ｂに示すように、クリーニング部２の上に支持部３が取り付けられ、支持部３から上方にグリップ部４が延びていてもよい。なお、グリップ部４は、クリーニング部２が延びる方向と直交する方向に延びるＬ字形状を有する。
【００６５】
また、図２Ｃのように、支持部３を有さず。クリーニング部２に、直接、グリップ部４が取り付けられてもよい。
【００６６】
また、図３に示すように、清掃器具１０は、クリーニング部１１とグリップ部１２とを、一体的に有してもよい。この場合、クリーニング部１１とグリップ部１２とで楔形状を形成している。グリップ部１２は、透明であってもよい。
【００６７】
このような構成によれば、クリーニング部１１とグリップ部１２とを一体的に成形することができるので、清掃器具１０を効率よく製造できる。
【００６８】
清掃器具１０がクリーニング部１１とグリップ部１２とを一体的に有する場合でも、清掃器具１０の形状は、限定されない。例えば、図４Ａに示すように、清掃器具１０は、半円形状であってもよく、図４Ｂに示すように、三角形状であってもよい。また、図４Ｃに示すように、クリーニング部１１が円弧形状であってもよい。
【実施例】
【００６９】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【００７０】
１．原料の説明
各実施例において使用する原料について説明する。
【００７１】
（１）イソシアネート基末端プレポリマーＡ〜Ｄ（ポリイソシアネート成分）
イソシアネート基末端プレポリマーＡは、後述する「イソシアネート基末端プレポリマーＡの製造」に記載される方法により得られたイソシアネート基末端プレポリマーである。
【００７２】
イソシアネート基末端プレポリマーＢは、タケネートＬ−２７１０（トルエンジイソシアネートとポリテトラメチレンエーテルグリコールとの重合物であるイソシアネート基末端プレポリマー、粘度：８００ｍＰａ・ｓ（８０℃）、イソシアネート基含量：４．２％、三井化学社製）である。
【００７３】
イソシアネート基末端プレポリマーＣは、タケネートＬ−２７６０（トルエンジイソシアネートとポリテトラメチレンエーテルグリコールとの重合物であるイソシアネート基末端プレポリマー、粘度：８００ｍＰａ・ｓ（８０℃）、イソシアネート基含量：６．３％、三井化学社製）である。
【００７４】
イソシアネート基末端プレポリマーＤは、ハイプレンＬ−３１５（トルエンジイソシアネートとポリテトラメチレンエーテルグリコールとの重合物であるイソシアネート基末端プレポリマー、粘度：４８０ｍＰａ・ｓ（８０℃）、イソシアネート基含量：９．４％、三井化学社製）である。
【００７５】
（２）活性水素基含有化合物Ａ、Ｂ
活性水素基含有化合物Ａは、後述する「活性水素基含有化合物Ａの製造」に記載される方法により得られたポリオールである。
【００７６】
活性水素基含有化合物Ｂは、３，３’−ジクロロ−４，４’−ジアミノジフェニルメタン（ＭＯＣＡ）である。
【００７７】
２．各実施例の説明
（１）実施例１
（１−１）イソシアネート基末端プレポリマーＡの製造
還流冷却管、窒素導入管、温度計、攪拌機を備えた４つ口フラスコ中に、ジオール２０００（ポリプロピレンジオール、数平均分子量２０００）２６０質量部、トリオール３０００（ポリプロピレントリオール、数平均分子量３０００）４４質量部、および、ジプロピレングリコール８０質量部を仕込み、窒素雰囲気下、８０℃で均一に混合し、これに、１，６−ヘキサメチレンジイソシアネート４１５質量部を加えて、８０℃で反応させた。
【００７８】
さらに、タケネートＤ−１７０Ｎ（１，６−ヘキサメチレンジイソシアネートのイソシアヌレート変性体、固形分濃度１００％、三井化学製）２００質量部と、ＢＹＫ−Ａ５３５（消泡剤、ビックケミージャパン製）０．０２５質量部と、オクチル酸錫０．０２５質量部と、ｏ−トルエンスルホンアミド０．０４質量部とを配合し、イソシアネート基末端プレポリマーＡ（イソシアネート基含有率：１８．５質量％）を得た。
【００７９】
（１−２）活性水素基含有化合物Ａの製造
トリオール３００（分子末端が２級水酸基のポリプロピレントリオール、開始剤：グリセリン、数平均分子量３００）９９８．８質量部と、オクチル酸錫０．１質量部と、ＢＹＫ−Ａ５３５（消泡剤、ビックケミージャパン製）０．０２質量部とを、５０℃において均一に混合し、活性水素基含有化合物Ａ（ポリオール、水酸基価：５５０ｍｇＫＯＨ／ｇ）を得た。
【００８０】
（１−３）ブレードの製造
２３℃で、イソシアネート基末端プレポリマーＡと活性水素基含有化合物Ａとを、表１に示す割合で混合しながら減圧下で脱泡し、組成物を得た。
【００８１】
次いで、得られた組成物を、型に流し込み、８０℃で１２時間加熱し、硬化させた。これにより、透明のブレード（クリーニング部、長さ５ｃｍ）を得た。
【００８２】
（２）実施例２〜６
活性水素基含有化合物Ａの配合部数を表１に示すように変更した以外は、実施例１と同様にして、透明のブレードを得た。
【００８３】
（３）実施例７
イソシアネート基末端プレポリマーＢを８０℃に予備加熱するとともに、活性水素基含有化合物Ｂ（ＭＯＣＡ）を１２０℃に予備加熱した。
【００８４】
次いで、８０℃に保温された容器に、イソシアネート基末端プレポリマーＢと活性水素基含有化合物Ｂとを表１に示す割合で投入し、混合しながら脱泡して、組成物を得た。
【００８５】
次いで、得られた組成物を、型に流し込み、１１０℃で４時間加熱し、硬化させた。これにより、透明のブレードを得た。
【００８６】
（４）実施例８、９
イソシアネート基末端プレポリマーの種類と、活性水素基含有化合物Ｂの配合部数とを表１に示すように変更した以外は、実施例７と同様にして、透明のブレードを得た。
【００８７】
２．ブレードの物性および評価
（１）硬度
各実施例で得られたブレードについて、ＪＩＳ  Ｋ  ７３１２（１９９６）の硬さ試験の記載に基づいて、硬度を測定した。測定された硬度を表１に示す。
【００８８】
（２）水切れ性
ガラス板に霧吹きで水を吹きかけ、各実施例で得られたブレードで、ガラス板上の水を１０ｃｍ掻き取り、水が残っている面積の割合（水の残存割合）を目視で判定した。また、水の残存割合に基づき、下記の基準で水切れ性を評価した。水の残存割合と水切れ性とを、表１に示す。
【００８９】
○：水の残存割合が５％未満である。
【００９０】
△：水の残存割合が５％以上、３０％未満である。
【００９１】
×：水の残存割合が３０％以上である。
【００９２】
（３）全光線透過率
各実施例について全光線透過率を測定した。すべての実施例において、全光線透過率は、９５％以上であった。
【００９３】
【表１】
2019115471.tif 000003
【符号の説明】
【００９４】
１      清掃器具
２      クリーニング部
３      支持部
４      グリップ部
【図１】
2019115471.tif 000004
【図２】
2019115471.tif 000005
【図３】
2019115471.tif 000006
【図４】
2019115471.tif 000007